(57)【要約】【課題】用途に応じて次亜塩素酸ガスの発生量を調節する空気浄化装置を提供する。【解決手段】気液接触部材７を通過した空気を次亜塩素酸で殺菌する空気浄化装置において、貯留部１３内にｐＨを調製する薬剤を投入するｐＨ調製剤投入装置２３と、運転モードを設定する操作スイッチ１５、操作スイッチ１５に合わせてｐＨ調製剤投入装置２３を動作させる制御部１４とを備え、ｐＨ調製剤投入装置２３は、アルカリ性のｐＨ調製剤及び酸性のｐＨ調製剤を保持しており、制御部１４は、操作スイッチ１５によって設定された運転モードに合わせて、前記アルカリ性のｐＨ調製剤と酸性のｐＨ調製剤の少なくとも一方を貯留部１３に投入し、貯留部１３内のｐＨを所定の値に調製できるものであり、前記運転モードは少なくとも貯留部１３内の次亜塩素酸を含む溶液をｐＨ６からｐＨ７の間へ調製する運転モードと、ｐＨ８からｐＨ９の間に調製する運転モードを備えた。【選択図】図２
2020151276.tif 000002
【特許請求の範囲】
【請求項１】
吸込口と吹出口を備えた筐体と、筐体の内部には、次亜塩素酸水を貯留する貯留部と、前記貯留部へ次亜塩素酸を供給する次亜塩素酸給装置と、前記貯留部において通過させた空気に次亜塩素酸を揮発させる気液接触部材と、前記吸込み口から吸い込んだ空気を前記気液接触部材を通過させ前記吹出口から放出する送風機と、
電解補助剤を保持する電解補助剤投入装置と、を有し前記気液接触部材を通過した空気を次亜塩素酸で殺菌する空気浄化装置において、
前記貯留部内にｐＨを調製する薬剤を投入するｐＨ調製剤投入装置と、運転モードを設定する運転モード設定部と、前記運転モードによって前記ｐＨ調製剤投入装置を動作させる制御部とを備え、
前記ｐＨ調製剤投入装置は、アルカリ性のｐＨ調製剤及び酸性のｐＨ調製剤を保持しており、
前記制御部は、前記運転モード設定部によって設定された運転モードに合わせて、前記アルカリ性のｐＨ調製剤と酸性のｐＨ調製剤の少なくとも一方を前記貯留部に投入し、電解槽内のｐＨを所定の値に調製できるものであり、前記運転モードは少なくとも前記貯留部内の次亜塩素酸を含む溶液をｐＨ６からｐＨ７の間へ調製する運転モードと、ｐＨ８からｐＨ９の間に調製する運転モードを備えた空気浄化装置。
【請求項２】
アルカリ性のｐＨ調製剤としてりん酸水素二ナトリウム、酸性のｐＨ調製剤としてりん酸二水素カリウム、またはりん酸二水素ナトリウムを備え、前記アルカリ性のｐＨ調製剤と酸性のｐＨ調製剤のそれぞれを液体、もしくは固体状態で装置内に格納した請求項１記載の空気浄化装置。
【請求項３】
アルカリ性のｐＨ調製剤及び酸性のｐＨ調製剤は固体のタブレットとして保持している請求項２記載の空気浄化装置。
【発明の詳細な説明】
【技術分野】
【０００１】
本発明は、室内を代表とする対象空間の除菌を行う空間殺菌装置に関するものである。
【背景技術】
【０００２】
水を電気分解して電解水を生成し、この電解水をフィルタ部材へ供給し、このフィルタ部材に室内空気を通過させることで、室内空気中に浮遊する細菌やウィルスなどの浮遊微生物や臭気成分等の除去を行う空気浄化装置が既に提案されている（例えば、特許文献１を参照）。
【先行技術文献】
【特許文献】
【０００３】
【特許文献１】特開２０１４−１９０６６０号公報
【発明の概要】
【発明が解決しようとする課題】
【０００４】
次亜塩素酸を用いた除菌装置において、室内の壁面に付着した菌の除菌を行う場合と、空気中に漂う臭気や菌を除去する場合では、空気中に揮発させ、装置外に放出する次亜塩素酸の量を調製する必要があった。
【０００５】
そこで本発明は、上記従来課題を解決するものであり、用途に応じて次亜塩素酸ガスの発生量を調節することができる空気浄化装置を提供することを目的とする。
【課題を解決するための手段】
【０００６】
そして、この目的を達成するために、本発明は、吸込口と吹出口を備えた筐体と、筐体の内部には、次亜塩素酸水を貯留する貯留部と、前記貯留部へ次亜塩素酸を供給する次亜塩素酸給装置と、前記貯留部において通過させた空気に次亜塩素酸を揮発させる気液接触部材と、前記吸込口から吸い込んだ空気を前記気液接触部材を通過させ前記吹出口から放出する送風機と、電解補助剤を保持する電解補助剤投入装置と、を有し前記気液接触部材を通過した空気を次亜塩素酸で殺菌する空気浄化装置において、前記貯留部内にｐＨを調製する薬剤を投入するｐＨ調製剤投入装置と、運転モードを設定する運転モード設定部と、前記運転モードに合わせて前記ｐＨ調製剤投入装置を動作させる制御部とを備え、前記ｐＨ調製剤投入装置は、アルカリ性のｐＨ調製剤及び酸性のｐＨ調製剤を保持しており、前記制御部は、前記運転モード設定部によって設定された運転モードに合わせて、前記アルカリ性のｐＨ調製剤と酸性のｐＨ調製剤の少なくとも一方を前記貯留部に投入し、前記貯留部内のｐＨを所定の値に調製できるものであり、前記運転モードは少なくとも前記貯留部内の次亜塩素酸を含む溶液をｐＨ６からｐＨ７の間へ調製する運転モードと、ｐＨ８からｐＨ９の間に調製する運転モードを備えることを特徴とした空気浄化装置であり、これにより所期の目的を達成するものである。
【発明の効果】
【０００７】
本発明によれば、吸込口と吹出口を備えた筐体と、筐体の内部には、次亜塩素酸水を貯留する貯留部と、前記貯留部へ次亜塩素酸を供給する次亜塩素酸給装置と、前記貯留部において通過させた空気に次亜塩素酸を揮発させる気液接触部材と、前記吸込口から吸い込んだ空気を前記気液接触部材を通過させ前記吹出口から放出する送風機と、電解補助剤を保持する電解補助剤投入装置と、を有し前記気液接触部材を通過した空気を次亜塩素酸で殺菌する空気浄化装置において、前記貯留部内にｐＨを調製する薬剤を投入するｐＨ調製剤投入装置と、運転モードを設定する運転モード設定部と、前記運転モードに合わせて前記ｐＨ調製剤投入装置を動作させる制御部とを備え、前記ｐＨ調製剤投入装置は、アルカリ性のｐＨ調製剤及び酸性のｐＨ調製剤を保持しており、前記制御部は、前記運転モード設定部によって設定された運転モードに合わせて、前記アルカリ性のｐＨ調製剤と酸性のｐＨ調製剤の少なくとも一方を前記貯留部に投入し、前記貯留部内のｐＨを所定の値に調製できるものであり、前記運転モードは少なくとも前記貯留部内の次亜塩素酸を含む溶液をｐＨ６からｐＨ７の間へ調製する運転モードと、ｐＨ８からｐＨ９の間に調製する運転モードを備えることを特徴とした空気浄化装置という構成にしたことにより、用途に応じて次亜塩素酸ガスの発生量を調節することができる空気浄化装置を提供することができる。
【図面の簡単な説明】
【０００８】
【図１】本発明の実施の形態１の空気浄化装置の概略図
【図２】本発明の実施の形態１の空気浄化装置の断面の概略図
【図３】本発明の実施の形態１の空気浄化装置の投入装置の概略図
【図４】本発明の実施の形態１の空気浄化装置のブロック図
【図５】本発明の実施の形態１の空気浄化装置の運転フローチャート
【発明を実施するための形態】
【０００９】
本発明の請求項１に係る空気浄化装置は、吸込口と吹出口を備えた筐体と、筐体の内部には、次亜塩素酸水を貯留する貯留部と、前記貯留部へ次亜塩素酸を供給する次亜塩素酸給装置と、前記貯留部において通過させた空気に次亜塩素酸を揮発させる気液接触部材と、前記吸込口から吸い込んだ空気を前記気液接触部材を通過させ前記吹出口から放出する送風機と、電解補助剤を保持する電解補助剤投入装置と、を有し前記気液接触部材を通過した空気を次亜塩素酸で殺菌する空気浄化装置において、前記貯留部内にｐＨを調製する薬剤を投入するｐＨ調製剤投入装置と、運転モードを設定する運転モード設定部と、前記運転モードに合わせて前記ｐＨ調製剤投入装置を動作させる制御部とを備え、前記ｐＨ調製剤投入装置は、アルカリ性のｐＨ調製剤及び酸性のｐＨ調製剤を保持しており、前記制御部は、前記運転モード設定部によって設定された運転モードに合わせて、前記アルカリ性のｐＨ調製剤と酸性のｐＨ調製剤の少なくとも一方を前記貯留部に投入し、前記貯留部内のｐＨを所定の値に調製できるものであり、前記運転モードは少なくとも前記貯留部内の次亜塩素酸を含む溶液をｐＨ６からｐＨ７の間へ調製する運転モードと、ｐＨ８からｐＨ９の間に調製する運転モードを備えたものである。
【００１０】
これにより、運転時に貯留部内の水溶液に分子状の次亜塩素酸が多く含まれる状態と、次亜塩素酸のイオンが多く含まれる状態を作り出すことができ、分子状の次亜塩素酸を揮発させて、室内の壁面に付着した菌の除菌を行う運転モードと、空気中に漂う臭気や菌を装置内に取り込んで除去する運転モードを選択して実現することができる。
【００１１】
また、請求項２に係る空気浄化装置は、アルカリ性のｐＨ調製剤として、りん酸水素二ナトリウム、酸性のｐＨ調製剤として、りん酸二水素カリウム、またはりん酸二水素ナトリウムを備え、前記アルカリ性のｐＨ調製剤と酸性のｐＨ調製剤をそれぞれ液体、もしくは固体状態で装置内に格納したものである。
【００１２】
これにより、これらアルカリ性のｐＨ調製剤と酸性のｐＨ調製剤は溶解時にその混合比率を変更することで、溶液のｐＨを調製することができ、さらにアルカリ性のｐＨ調製剤として、りん酸水素二ナトリウムを、酸性のｐＨ調製剤として、りん酸二水素カリウムまたはりん酸二水素ナトリウムを使用することで、これらが水溶液中で緩衝液を構成し、ｐＨの変動を抑えることができる。
【００１３】
例えば、ｐＨを６．５にする場合は、りん酸水素二ナトリウムとりん酸二水素ナトリウムを物質量でおよそ５：１の割合、ｐＨを７．５にする場合は、りん酸水素二ナトリウムとりん酸二水素ナトリウムを物質量でおよそ１：２の割合、ｐＨを８．５とするには、りん酸水素二ナトリウムとりん酸二水素ナトリウムを物質量でおよそ１：２０の割合で混合することでｐＨを調製することができ、濃度を高めることでその緩衝能力は高くなる。
【００１４】
これらアルカリ性のｐＨ調製剤及び酸性のｐＨ調製剤を溶解することで、水素イオンが化学平衡状態になり、水溶液内のｐＨが安定化される。
【００１５】
また、請求項３に係る空気清浄装置は、アルカリ性のｐＨ調製剤及び酸性のｐＨ調製剤は固体のタブレットとして保持しているものである。
【００１６】
これにより、りん酸塩などの多量に溶解させる必要がある化学物質では、固形にすることで、液体よりも多く保持することができるので、補充期間を長くとることができる。
【００１７】
以下、本発明の実施の形態について図面を参照しながら説明する。
【００１８】
（実施の形態１）
図１において、空気浄化装置１の外観を示す。
【００１９】
空気浄化装置１は、筐体、すなわち本体ケース２を備えている。
【００２０】
本体ケース２は、側面に比べて天面の面積が小さな箱体であり、対抗する側面にそれぞれ吸込口３を備え、天面に吹出口４を備えている。つまり、空気浄化装置１は、除菌を対象とする対象空間である室内に設置する箱体の本体ケース２を備えている。そして、室内の空気を吸込口３から吸い込んで、除菌を行い、吹出口４から室内へ放出するものである。
【００２１】
また、本体ケース２の天面には、運転モード設定部として空気浄化装置１の操作をする操作スイッチ１５を備えている。操作スイッチ１５を押すことで、空気浄化装置１の運転モードを設定するものである。
【００２２】
図２に示すように、本体ケース２の内部には、吸込口３と吹出口４を連通する空気風路５が設けられている。また、本体ケース２内には、吸込口３から吸い込んだ空気を気液接触部材７へ通過させて、吹出口４から放出する送風機６を備えている。送風機６は、モータとモータにより回転する羽根車とそれらを囲むケースとから構成されるいわゆるシロッコファンの構成を有している。
【００２３】
また、次亜塩素酸水を生成する電解部１２と生成された次亜塩素酸水を貯留する貯留部１３を有したトレイ１０を備えている。
【００２４】
トレイ１０内の電解部１２には、次亜塩素酸を生成する次亜塩素酸供給装置２６を、トレイ１０内の貯留部１３には、通過させた空気に次亜塩素酸を揮発させる気液接触部材７と気液接触部材７を保持する内枠３０を配置している。
【００２５】
電解部１２において次亜塩素酸供給装置２６は、水を貯水した給水タンク８と、電極１１を有するから構成されている。
【００２６】
気液接触部材７は、空気風路５を遮るようにして配置している。本実施の形態における気液接触部材７は回転可能な筒形状のフィルタであり、タイミングモーター３５によって回転させることができる。そして、気液接触部材７の下部を次亜塩素酸水に浸漬させることができるものである。次亜塩素酸水を浸み込ませておき、通過する空気に次亜塩素酸を接触させることができるものである。
【００２７】
また、トレイ１０は、本体ケース２の下部に設け、本体ケース２から取り外すことが可能にしている。
【００２８】
このような構成において、送風機６は、気液接触部材７の下流側に、かつ、本体ケース２の上部に設けられている。
【００２９】
給水タンク８は、トレイ１０に装着した状態で下端に位置する面に開口を形成している。開口には蓋を備え、蓋には、上下方向に開口した蓋開口と、蓋開口を開閉する開閉弁部とを備えている。開閉弁部は、蓋開口に設けられた弁支持によって可動自在に支持される。給水タンク８は蓋の側を下にしてトレイに装着すると、開閉弁部が蓋開口を開き、蓋開口から給水タンク８内の水が、トレイ１０へ貯水される構成である。蓋開口がトレイ１０内の水に埋没すると給水タンク８内へ空気が入らなくなり、給水タンク８内の水の重力によって開閉弁部が閉じて給水タンク８内の水はトレイ１０へ供給されなくなるものである。
【００３０】
さらに、本体ケース２内には、制御部１４と電解補助剤投入装置１６とｐＨ調製剤投入装置２３とを備えている。
【００３１】
また、図４に示すように制御部１４に操作スイッチ１５を備えている。操作スイッチ１５は運転モードを選択するものである。操作スイッチ１５によって選択された運転モードに応じて、制御部１４はｐＨ調製剤投入装置２３の運転を制御し、所定量のｐＨ調製剤をトレイ１０内に投入することができる。
【００３２】
ｐＨ調製剤投入装置２３は、アルカリ性のｐＨ調製剤と酸性のｐＨ調製剤をそれぞれ液体、もしくは固体状態で保持している。ｐＨ調製剤投入装置２３内でこれらアルカリ性のｐＨ調製剤と酸性のｐＨ調製剤は筒状の容器に保持されており、シリンジ機構または押し出し機構を稼動させることで所定量をトレイ１０内へ投入することができる。
【００３３】
上記構成において、まず、給水タンク８をセットすると前記トレイ１０内が常に定水位となるように給水タンク８からトレイ１０へと水が給水される。
【００３４】
その後、電解補助剤投入装置１６が電解補助剤をトレイ１０内に追加し、操作スイッチ１５を操作することによって空気浄化装置１運転を開始することができる。運転開始後、電解部１２では電極１１によって電気分解を開始し、タイマー制御によって電気分解を終了する。電気分解によって、電解部１２および貯留部１３内に次亜塩素酸水が生成される。その後、送風機６を運転することで、通風が行われ、気液接触部材７を空気が通過することで気液の接触が行われる。つまり、次亜塩素酸を空気中に放出することができる。
【００３５】
運転開始時、及び運転中、使用者は、操作スイッチ１５によって運転モードを選択することができる。選択にあわせて制御部１４は、ｐＨ調製剤投入装置２３を制御すると、所定のｐＨとなるようにｐＨ調製剤がトレイ内に投入される。
【００３６】
この時のｐＨ調製剤の投入量は制御部１４に記憶されるため、運転モードを変更した場合には、過去の投入量を基に新たなｐＨ調製剤の量が決定され調製剤の投入がなされる。例えば、初めの操作スイッチ１５の入力に合わせてアルカリ性のｐＨ調製剤２４と酸性のｐＨ調製剤２５を１：２で投入し、その後の操作スイッチ１５の入力に合わせて２：１としたいときにはアルカリ性のｐＨ調製剤２４のみを投入し割合を変化させることができる。
【００３７】
このようにモードを切り替える場合は、アルカリ性のｐＨ調製剤２４と酸性のｐＨ調製剤２５を追加することでその割合を変化させるため、トレイ１０内のアルカリ性のｐＨ調製剤２４と酸性のｐＨ調製剤２５の濃度はそれぞれモードの切り替えを行うに連れて増加することになる。アルカリ性のｐＨ調製剤２４と酸性のｐＨ調製剤２５の濃度の増加は緩衝能力が上がることにつながるので、運転モードの切り替えを行っても問題ない。ただし、アルカリ性のｐＨ調製剤２４と酸性のｐＨ調製剤２５は溶解度を超える量を投入した場合には、それぞれが溶解せず沈殿してしまうために、好ましくない。溶解度を超える調整剤の投入がされる場合はトレイ１０内の水を排水する必要がある。制御部１４に排水を喚起するランプ１７を備えればよい。
【００３８】
また、時間ごとにｐＨを変更するモードを備えることも可能であり、タイマー制御等でｐＨを切り替えながら運転するアルゴリズムを備えてもかまわない。
【００３９】
制御部１４で記憶されたアルカリ性のｐＨ調製剤と酸性のｐＨ調製剤の投入量はトレイ１０内の水が排水されたときにリセットされる。
【００４０】
トレイ１０の排水タイミングについては、給水検知手段９によって渇水が検知されたとき、もしくは一定以上のｐＨ調製剤が投入される時、あるいは一定時間以上の運転が行われたときであり、これらの条件を制御部１４が検知すると、運転は停止し、排水を喚起するランプ１７または給水を喚起するランプ１８の点灯等によって使用者に排水及び給水が促される。
【００４１】
渇水については、給水検知手段９であるフロートセンサーによってトレイ１０内が渇水でないことを確認し、アルカリ性のｐＨ調製剤と酸性のｐＨ調製剤のそれぞれの投入量と運転時間については制御部１４が判定する。
【００４２】
本実施の形態の構成においては特にトレイ１０内の溶液のｐＨの検知を行うことはせず、投入割合のみでのコントロールを行っているが、より精度高くコントロールを行うために、ｐＨメーター等のｐＨ検知手段を設けることで、トレイ１０内の溶液のｐＨを検出し、それにあわせて調製剤を投入するという構成も可能である。
【００４３】
続いてｐＨ調製の意義と具体的な調製例を示す。
【００４４】
次亜塩素酸はｐＨによって、分子状態とイオン状態の存在比率が変化する。
【００４５】
室内の壁面の浄化を促進したい場合（表面浄化運転時）には、次亜塩素酸を吹出口４から積極的放出させる必要がある。表面浄化運転時には、ｐＨを５．０以上６．５以下とすることで、トレイ１０内の次亜塩素酸の９０％以上が次亜塩素酸分子として存在するようになり、空気中に揮発しやすくなる。例えば人の出入りの多い部屋において、夜間の無人状態の時間帯に机やドアノブなどに付着した菌を除菌したいときに効果的である。
【００４６】
一方、室内の空気を浄化したい場合（空気浄化運転時）には、吸込口３から取り込んだ空気を空気浄化装置１内部で浄化するほうが効果的である。そこで、ｐＨを８．５以上にすることで次亜塩素酸の９０％以上がイオンで存在するようになり、脱臭効果を高めたり、空気中に揮発しにくくすることで、空気浄化装置１内に取り込んだ空気の除菌効果を高めたりすることができる。例えば、汚物処理や調理臭など一時的な臭気や空気の汚れの発生に対して効果的である。
【００４７】
また、表面浄化運転時は気液接触による空気の浄化がしにくく、空気浄化運転時には次亜塩素酸が揮発しにくいため空間表面の除菌がしにくいという課題もあるが、それらの両方の浄化を行いたいときには、その他の運転モードとして、ｐＨを７．５程度にすることで分子状態とイオン状態の割合が１対１とすることも可能である。この場合、表面浄化運転時や、空気浄化運転時と比べて、それぞれに特化した性能を求めることはできないが、次亜塩素酸をある程度揮発させながら、同時に汚れた空気を取り込んだ際の気液接触による浄化も行うことができる。また、表面浄化運転と比較すると揮発量が減少するため、次亜塩素酸を揮発させつつもトレイ内の次亜塩素酸濃度を比較的長時間維持することもできる。例えば、ペットの飼育時にはペットが動き回ることで付着するまたは浮遊する菌やペット由来のにおいの発生が予想される。このように比較的軽微な菌やにおいの継続的な発生が想定される場合には、このような運転方法によって環境表面及び空気の汚れの双方の問題を低減することができる。
【００４８】
上記以外でも、ｐＨを変化させることで次亜塩素酸の分子状態とイオン状態の割合を変化させ、目的に合わせて、揮発させた次亜塩素酸による浄化と、装置内部での気液接触での浄化のバランスを調製することができる。
【００４９】
本実施の形態において、送風機６はシロッコファンを用いているが、送風を行える機構であればその他の手段を用いてもよく、その構成を制限するものではない。加えて気液接触部材７は回転可能な筒形状のフィルタを使用しているが、次亜塩素酸と気流を接触させることができればよく、その構成を制限するものではない。
【００５０】
また、本実施の形態における電解補助剤はタブレット状の塩化ナトリウムを使用しているが、その成分を制限するものではなく、塩化物イオンを供給できるものであれば、塩酸等を用いることもできる。加えて、タブレット状以外にも、液体での保存や給水タンクに直接追加することも可能であり、その構成を制限するものではない。また、本実施の形態では空気浄化装置１外に備えたボトルに保存しているが、本体との直結や、取り外し可能な状態で本体に備え付けてもよく、その構成を制限するものではない。
【００５１】
また本実施の形態において、電気分解の終了はタイマー制御を使用しているが、例えば次亜塩素酸水センサーによる濃度検知等を使用してもよく、その構成を制限するものではない。加えて、送風機６とタイミングモーター３５による気液接触部材７の回転は電解後に開始するものとしているが、電解中にも回転することも可能であり、その制御を制限するものではない。
【００５２】
加えて本実施の形態において電解補助剤投入装置およびｐＨ調製剤投入装置２３の機構はシリンジ機構に限らず、例えば回転体の回転や、ポンプの使用等も可能であり、その構成を制限するものではない。
【００５３】
（実施の形態２）
実施の形態１では、ｐＨ調製剤の投入により次亜塩素酸の揮発量を調製できる空気浄化装置１の実施形態を説明した。
【００５４】
特に、ｐＨによって次亜塩素酸の揮発量を効率よく制御するには、ｐＨ調製剤と次亜塩素酸との反応性が低いことや２種類のｐＨ調製剤によって緩衝液が形成されることが望ましい。
【００５５】
そこで本実施の形態においては、実施の形態１で記載したｐＨ調製剤についてアルカリ性のｐＨ調製剤としてりん酸水素二ナトリウムを、酸性のｐＨ調製剤としてりん酸二水素ナトリウム、もしくは、りん酸二水素カリウムを用いるものとする。
【００５６】
これにより、アルカリ性のｐＨ調製剤としてりん酸水素二ナトリウム、酸性のｐＨ調製剤として、使用したりん酸二水素カリウム、またはりん酸二水素ナトリウムが水溶液中で緩衝液を構成し、ｐＨの変動を抑えることができる。
【００５７】
これらアルカリ性のｐＨ調製剤及び酸性のｐＨ調製剤は溶解することで、水素イオンが化学平衡状態になり、水溶液内のｐＨが安定化させることができる。
【００５８】
調製剤の例としては、りん酸水素二ナトリウムやりん酸二水素ナトリウムなどのりん酸塩を挙げたが、調製剤には次亜塩素酸との反応性が低いものが望ましく、クエン酸等の有機酸は次亜塩素酸と反応し有機塩素化合物を生成するため、好ましくない。
【００５９】
本実施の形態におけるｐＨ調製剤の投入例を示す。
【００６０】
本実施の形態において、アルカリ性のｐＨ調製剤はりん酸水素二ナトリウム、酸性のｐＨ調製剤はりん酸二水素ナトリウムもしくはりん酸二水素カリウムである。アルカリ性のｐＨ調製剤と酸性のｐＨ調製剤の混合割合は、ｐＨを６．５とするには物質量で５：１程度、ｐＨを７．５とするには物質量で１：２程度、ｐＨを８．５とするには物質量で１：２０程度とすることで、所定のｐＨに到達させることができる。このとき、それぞれの混合割合を維持したまま、濃度を高くすると、緩衝能力は高くなりｐＨの変動がより抑えられるが、割合が正しければ、投入量を規定するものではない。
【００６１】
ｐＨ調製剤の投入判定の例を示す。
【００６２】
図４に示すように、制御部１４には、溶解可能量記憶手段３１と調整剤投入量記憶手段３２と調整剤投入量算出手段３３と投入可否判定手段３４とを備えている。
【００６３】
溶解可能量記憶手段３１には、アルカリ性のｐＨ調製剤と酸性のｐＨ調製剤について、（溶解度とトレイ１０内に保持される水の量から）溶解可能量（これ以上解かせない量）が記憶されている。調整剤投入量算出手段３３は、使用者が給水後初めて運転モードを選択すると必要量のアルカリ性のｐＨ調製剤と酸性のｐＨ調製剤を算出するものである。調整剤投入量算出手段３３が算出したアルカリ性のｐＨ調製剤と酸性のｐＨ調製剤の量をｐＨ調製剤投入装置２３が投入する。
【００６４】
例えば、トレイ１０内の水量が１．５Ｌでアルカリ性のｐＨ調製剤としてりん酸水素二ナトリウムを、酸性のｐＨ調製剤としてりん酸二水素ナトリウムを使用した場合について示す。この場合、りん酸水素二ナトリウムの溶解可能量が１８１．５ｇ、りん酸水素二ナトリウム１０９４．７５ｇであり、あらかじめ溶解可能量記憶手段３１に記憶されている。
【００６５】
さて、表面浄化運転が選択された時には、調整剤投入量算出手段３３がりん酸水素二ナトリウムとりん酸二水素ナトリウムが、それぞれ、０．１７９ｇ（１．２４８ｍｍｏｌ）、０．７５８ｇ（６．２５２ｍｍｏｌ）投入させることで、ｐＨ６．５、５ｍＭの緩衝液が形成される。
【００６６】
この時の投入量は、調整剤投入量記憶手段３２に記憶される。次に、運転モードが空気浄化運転に切り替えられると、調整剤投入量記憶手段３２に記憶された初期の投入量を調整剤投入量算出手段３３が参照して、増やすアルカリ性のｐＨ調製剤の量を算出し、ｐＨ調製剤投入装置２３に所定の量を投入させることで、ｐＨ８．５の緩衝液に調製される。この場合、りん酸水素二ナトリウムを１７.８７ｇ投入することで、総量としてりん酸二水素ナトリウムが０．７５８ｇ（６．２５２ｍｍｏｌ）、りん酸水素二ナトリウムが１８．０５ｇ（１２７．１ｍｍｏｌ）投入されることとなり、調整剤投入量記憶手段３２にはこれらの量が記憶されることとなる。
【００６７】
このように調整剤投入量算出手段３３によって投入量の計算がなされた時、制御部１４では、投入可否判定手段３４が所定の投入量の投入前に、投入量の総量を算出して、溶解可能量記憶手段３１に記憶された溶解可能量に対して、該投入量の総量が越えないかを比較判定する。前記投入例のように、投入量の合計が溶解可能量を超えない場合は、アルカリ性のｐＨ調製剤または酸性のｐＨ調製剤が投入され、ｐＨの調整が行われる。一方で、投入量の合計が溶解可能量を超える場合は、アルカリ性のｐＨ調製剤または酸性のｐＨ調製剤の投入が中止され、排水を喚起するランプ１７によって排水が喚起される。
【００６８】
（実施の形態３）
実施の形態２では、アルカリ性のｐＨ調製剤としてりん酸水素二ナトリウムを、酸性のｐＨ調製剤としてりん酸二水素ナトリウムもしくはりん酸二水素カリウムを用いる空気浄化装置１の実施の形態を説明した。
【００６９】
この装置において、ｐＨ調製剤の状態は液体での保持も可能であるが、例えば、りん酸水素二ナトリウムは水への溶解度が７．７ｇ/１００ｍＬであり、大量に保持することは難しい。
【００７０】
また、粉末で保持した場合には投入時の秤量や粉末の飛散、装置細部への侵入の可能性等によって取り扱いが難しい。
【００７１】
そこで本実施の形態における空気浄化装置１は、アルカリ性のｐＨ調製剤及び、酸性のｐＨ調製剤を固体のタブレットとして保持することで、空気浄化装置１内での保持量を増やすことができ、かつ投入量の調製をしやすくしたものである。
【産業上の利用可能性】
【００７２】
本発明に係る空気殺菌装置は、室内の空気浄化手段等として有用である。
【符号の説明】
【００７３】
１    空気浄化装置
２    本体ケース
３    吸込口
４    吹出口
５    空気風路
６    送風機
７    気液接触部材
８    給水タンク
１０    トレイ
１１    電極
１２    電解部
１３    貯留部
１４    制御部
１５    操作スイッチ
１６    電解補助剤投入装置
１７    排水を喚起するランプ
１８    給水を喚起するランプ
２３    ｐＨ調製剤投入装置
２４    アルカリ性のｐＨ調製剤
２５    酸性のｐＨ調製剤
２６    次亜塩素酸供給装置
３０    内枠
３１    溶解可能量記憶手段
３２    調整剤投入量記憶手段
３３    調整剤投入量算出手段
３４    投入可否判定手段
３５    タイミングモーター
【図１】
2020151276.tif 000003
【図２】
2020151276.tif 000004
【図３】
2020151276.tif 000005
【図４】
2020151276.tif 000006
【図５】
2020151276.tif 000007